(57)【要約】      （修正有）【課題】多数の構成員の行き先を分かりやすく端末装置に表示させる行き先管理装置を提供する。【解決手段】サーバー制御部１１は、行き先管理データベース１３の行き先情報に基づいて、複数の位置情報と、この位置情報に対応する居室名称が割り当てられる領域と、当該領域に移動可能に配置される複数の人名アイコン１４１とが含まれる施設レイアウトを備えたマップ表示領域と、人名アイコン１４１に対応する名前と、人名アイコン１４１が位置する居室名称とが対となる複数の人名表示欄１８２が配置される人員リスト１８１を備えた人員リスト表示領域１８０とが１つの画面領域に配置される行き先表示マップ１００を生成し、端末装置３０からのアクセス要求に基づいて、行き先表示マップ１００を提供し、端末装置３０からの人名表示欄１８２の１つの選択を受け付けて、選択された人名表示欄１８２に対応する人名アイコン１４１を強調表示する。【選択図】図１
2010072667.tif 000002
【特許請求の範囲】
【請求項１】
サーバ制御装置と、行き先管理データベースを格納した記憶装置を備えて複数の端末装置とネットワークを介して接続される行き先管理装置であって、
サーバー制御部は、行き先管理データベースの行き先情報に基づいて、
複数の位置情報と、この位置情報に対応する居室名称が割り当てられる領域と、当該領域に移動可能に配置される複数の人名アイコンとが含まれる施設レイアウト図を備えたマップ表示領域と、
前記人名アイコンに対応する名前と、前記人名アイコンが位置する居室名称とが対となる複数の人名表示欄が配置される人員リストを備えた人員リスト表示領域とが１つの画面領域に配置される行き先表示マップを生成し、
前記端末装置からのアクセス要求に基づいて、前記行き先表示マップを提供し、
前記端末装置からの前記人名表示欄の１つの選択を受け付けて、当該選択された人名表示欄に対応する前記人名アイコンを強調表示する
ことを特徴とする行き先管理装置。
【請求項２】
前記請求項１記載の行き先管理装置において、
居室名称が割り当てられる前記領域への前記人名アイコンの移動を受け付けて、
前記人名表示欄の居室名称を、前記人名アイコンの移動先の領域に割り当てられた居室名称に変更する
ことを特徴とする行き先管理装置。
【請求項３】
前記請求項１または２記載の行き先管理装置において、
前記人名表示欄の選択を受け付けて、当該人名表示欄の近傍に、前記複数の領域の選択肢を備えたウインドウを表示し、
前記選択肢の選択を受け付けて、前記人名表示欄の居室名称を当該選択肢に対応する領域に割り当てられる居室名称に変更するとともに、前記選択肢に対応する領域に対応する人名アイコンを表示させる
ことを特徴とする行き先管理装置。
【請求項４】
前記請求項１から３記載のいずれかの行き先管理装置において、
前記人名アイコンは、施設レイアウト図の特定の領域にホームポジションが設定され、人名アイコンが移動されると、当該移動先に人名アイコンを表示するとともに、ホームポジションの人名アイコンを離席表示する
ことを特徴とする行き先管理装置。
【発明の詳細な説明】
【技術分野】
【０００１】
端末装置に人員の行き先を電子的に表示させる行き先管理装置に関するものである。
【背景技術】
【０００２】
複数の人員を抱える事業所などでは、各人員の行き先を把握するために、行き先表示板が活用されている。この行き先表示板は、少人数のグループごとに行き先板を事務所に設置し、在籍の有無を名札や磁石などで示すものが古くから利用されている。しかし、近年においては、パーソナルコンピュータなどの端末装置が各人員ごとに割り当てられ、この端末装置をネットワークを介して接続し、各人員の在席状況や行き先を電子的に把握するシステムが提案されている。
【０００３】
例えば、従来例においては、複数の端末をネットワークで接続し、他のユーザの行き先表示をできるだけ正確に提供する行き先表示システムが提案されている。このシステムは、クライアントが搭載されている各端末の使用状況を監視し、得られた使用状況、又は、得られた使用状況から推定された行き先位置でなる行き先補間情報を表示させる。具体的には、各端末の表示画面に在席と行き先を区分けした配置図を表示し、基本的位置にいないユーザについての名前プレートを、その基本的位置及び行き先の両方で、しかも基本的位置に居る場合とは異なる表示色で表示するものが開示されている。
【０００４】
【特許文献１】特開平８−８７６８５号公報
【発明の開示】
【発明が解決しようとする課題】
【０００５】
前記従来例によれば、先ず、自席の名前プレートの色彩を見れば、ユーザが自席にいるかいないかを判断できるし、いない場合は、他の区分けされた領域を探せば、行き先を把握することができる。しかし、前記従来例は、少人数の行き先を表示するには有効であるが、１００人規模の多くの人員の行き先を表示するのには適していない。つまり、人員が多くなると、先ず、探す人の自席を把握する手間がかかり、更に、いない場合は、他の場所から探す人の名前プレートを見つけ出さなければならない。
【０００６】
そこで、この発明の目的とするところは、多数の構成員の行き先を分かりやすく端末装置に表示させる行き先管理装置を提供することにある。
【課題を解決するための手段】
【０００７】
前記目的を達成するために、この発明に係る行き先管理装置は、サーバ制御装置と、行き先管理データベースを格納した記憶装置を備えて複数の端末装置とネットワークを介して接続し、サーバー制御部は、行き先管理データベースの行き先情報に基づいて、複数の位置情報と、この位置情報に対応する居室名称が割り当てられる領域と、当該領域に移動可能に配置される複数の人名アイコンとが含まれる施設レイアウト図を備えたマップ表示領域と、前記人名アイコンに対応する名前と、前記人名アイコンが位置する居室名称とが対となる複数の人名表示欄が配置される人員リストを備えた人員リスト表示領域とが１つの画面領域に配置される行き先表示マップを生成し、前記端末装置からのアクセス要求に基づいて、前記行き先表示マップを提供し、前記端末装置からの前記人名表示欄の１つの選択を受け付けて、当該選択された人名表示欄に対応する前記人名アイコンを強調表示するものである。
【発明の効果】
【０００８】
本発明によれば、施設レイアウト上に移動可能に配置される複数の人名アイコンが、人名表示欄の選択に基づいて、対応する前記人名アイコンが強調表示されるので、多数の構成員の行き先を分かりやすく端末装置に表示させることができる。
【発明を実施するための最良の形態】
【０００９】
以下、図１から図９を参照して、この発明に係る電子行き先表示システムを具体的に説明する。ここで、図１から図８は実施例１に係る行き先表示システムであり、図９は実施例２の実施の形態に係る行き先表示システムである。ここで、この電子行き先表示システムでは、応用例に示すように、多数の構成員の行き先を把握するのに適している。しかし、説明を分かりやすくするために、先ず、実施例１を参照しながら、このシステムの特徴を具体的に説明する。なお、同一部位などは同一符号を持って示し、重複した説明を省略する。
【実施例１】
【００１０】
先ず、図１を参照して、実施例１に係る行き先表示システムの概略構成を説明する。ここで、図１は実施例１に係る行き先表示システムのシステム構成図である。
【００１１】
図１において、符号１で総括的に示すのは、ネットワーク２０を利用した行き先表示システムであり、事業所内の情報を統括的に管理するサーバ１０と、このサーバ１０とネットワーク２０を介して接続される行き先表示板５０と、複数の端末装置３０とを含んで構成される。この実施例に係るネットワーク２０は、事業内で閉じられた社内のネットワークを想定している。もちろん、外部ネットワークと接続しても良い。
【００１２】
サーバ１０は、このサーバ１０を統括制御するサーバ制御部１１と、各種のデータを格納する記憶装置１２とを含んでいる。この実施例に係る記憶装置１２は、当該事業所の人員の行き先情報を収めた行き先管理ＤＢ１３と、各人員のスケジュール情報を収めたスケジュール管理ＤＢ１４を格納している。
【００１３】
端末装置３０は、図示しない端末制御部と端末表示装置と端末入力装置などを含んで構成されるパーソナルコンピュータであり、ネットワーク２０を介してサーバ１０と接続される。この実施例では、この端末装置３０が人員１人に対応しており、この端末装置３０を介してスケジュール管理ＤＢ１４の入力を行うことができる。なお、端末入力装置にはマウスやキーボードが含まれる。
【００１４】
行き先表示板５０は、事業所の受付や、共通スペースに配置される行き先管理システムの専用の端末装置である。この行き先表示板５０は、この行き先表示板５０を統括制御する表示板制御部５１と、行き先表示情報を表示する表示装置５２と、マウスやキーボードからなる表示板入力部５３とを含んで構成される。表示装置５２は、その表面にタッチパネルを備えており、表示画面の所定のボタンをタッチすることで、入力操作することができる。もちろん、表示板入力部５３のマウスを用いて入力操作を行うこともできる。
【００１５】
この行き先表示板５０では、端末装置３０でも適用できるシステムであり、表示板制御部５１が端末制御装置と、表示装置５２が端末表示装置と、表示板入力部５３が端末表示装置と対応して同様な操作を行うことができる。ただ、行き先表示板５０が端末装置３０と大きく違う点は、表示装置５２にタッチパネルが付加されている点と、４０インチ以上の大きな表示画面を採用している点である。
【００１６】
したがって、この実施の形態では、表示装置５２で表示される同様な表示画面を端末装置の端末表示装置に表示し、これのマウス操作を用いて操作することで、行き先表示板５０と同様な入力操作を行うことができる。
【００１７】
そして、この実施の形態に係る行き先表示システムの大きな特徴の１つは、表示装置５２の表示画面５４に、マップ表示領域１４０と、人員リスト表示領域１８０とを備えた行き先表示マップ１００をウインドウ形式で表示し、この座席配置表示領域１４０と人員リスト表示領域１８０とを連携表示させた点にある。
【００１８】
即ち、従来の技術においては、表示画面を複数の区画で分割し、この分割された区画に座席配置や行き先などを割り当てて表示し、この各領域に人員の所在を示す名前プレートを表示する技術が知られている。しかし、この従来技術では、少人数の行き先を把握するのには適しているが、多数の人員を把握するのには適していない。例えば、座席配置をある程度理解している人であれば、この座席図を元に特定の人の名前プレートを探すことはできるとしても、座席の分からない初めての来客者などには、多数の人員が割り振られた中から、特定の名前プレートを見つけることは困難である。また、探す人が離席している場合、他の区画から目的の名前プレートを探すことも、座席数が多くなると困難である。一方、従来から受付に電話番号付の名簿を準備し、この名簿から受付の社内電話で呼び出す手法も利用されているが、その都度、呼び出さなければならない。
【００１９】
そこで、この発明では、５０音順や配属別などで整理される人員リスト１８１と、人名アイコン１４１を移動可能とする施設レイアウト図１４２とともに表示する。そして、人員リストを構成する複数の人名表示欄１８２と、この人名表示欄１８２に対応する人名アイコン１４１とを連動表示する。
【００２０】
即ち、この実施の形態では、表示装置５２の表示画面５４に、この行き先表示システム１の作業ウインドウ１０１を表示し、この作業ウインドウ１０１に、人員リスト表示領域１８０とマップ表示領域１４０とを左右に並べて配置する行き先表示マップ１００を表示する。
【００２１】
人員リスト表示領域１８０には、名前と行き先とが対となった複数の人名表示欄１８２が上下に配置される人員リスト１８１が表示される。一方、マップ表示領域１４０には、当該事業所の居室や会議室の配置を模式的示した施設レイアウト図１４２を表示する。この施設レイアウト図１４２、居室や会議室ごとに位置座標が割り当てられる。また、居室には、人員の机がレイアウトされ、当該机に対して各人名アイコン１４１のホームポジションとして割り当てられている。もちろん、机ではなく、特定の部屋に各人名アイコン１４１を割り当てることができる。
【００２２】
この実施の形態によれば、次のような作用効果を得ることができる。
(マップ表示領域１４０からの入力操作)
（１）人名アイコン１４１をタッチすると対応する人員リスト１８１の人名表示欄１８２を強調表示されるから、A1の当該人名アイコン１４１の所属などを人員リスト１８１から把握することができる。例えば、Ａ１の人名アイコン１４１をタッチすると対応する人名表示欄１８２が強調表示される。
（２）行き先の入力は、Ａ１の人名アイコン１４１を所定の場所にドラッグ操作することで、簡単に入力することができ、また、当該入力操作に伴って、名表示欄１８２の行き先も変更される。例えば、矢印に示すように、居室にあるＡ１の人名アイコン１４１を会議室１にドラッグ操作で移動させることができる。この操作に伴って、自席のＡ１の人名アイコン１４１は、離席表示と成って、移動先にＡ１の人名アイコン１４１が表示される。また、Ａ１の人名アイコン１４１に行き先の変更は名前Ａ１の人名表示欄１８２の行き先が「自席」から「会議室１」に変更される。
（人員リスト表示領域１８０からの入力操作）
（１）人名表示欄１８２をタッチすると対応する人名アイコン１４１が強調表示されるので、当該人員の施設レイアウト図１４２上での現在の位置を把握することができる。例えば、人員リスト１８１から名前Ｃ１を探すと、その行き先表示から会議室１であることが分かる。また、この人名表示欄１８２の名前Ｃ１をタッチ操作すると、会議室１のＣ１の人名アイコン１４１が強調表示されるので、施設レイアウト図１４２上での位置を把握することができる。
（２）この実施の形態では、人名表示欄１８２をタッチすると、隣接して行き先を入力するための選択ウインドウ１２０や行き先入力ウインドウ１３０を表示させて、行き先を入力することができる。この選択ウインドウ１２０には、例えば、「社内」、「フレックス」「フリー」などを選択することができる。これらの何れかを選択すると、必要により、この選択項目に対応した入力を行うことができる。このように、この実施の形態では、人員リスト１８１からの入力も可能である。
【００２３】
以下、図２から図８を参照して、この実施の形態に係る行き先表示システム１を更に詳細に説明する。
【００２４】
次に、図２を参照して、行き先表示マップ１００を更に説明する。図２は、実施例１に係る行き先表示マップの画面図である。
【００２５】
図２において、この実施例では、通常の、表示装置５２の表示画面５４が横長の矩形状であることに着目し、人員リスト表示領域１８０とマップ表示領域１４０とが左右配置となるような画面構成とすることで、表示画面５４の効率的な配置としている。
【００２６】
人員リスト表示領域１８０の人員リスト１８１は、人名表示欄１８２は名前と行き先とが対となったものであり、これらは人名表示欄１８２は、５０音順や所属ごとの所定の順番で上下方向に並べて配置する。この実施の形態では、名前と行き先を左右並びの一行の表示としているが、区分け線や括弧書きなどを設けるなどして他の人名表示欄１８２との識別が可能であれば上下配置でもよい。
【００２７】
また、この実施の形態では、２０人を一列のリスト表示としているが、複数列で表示することができる。また、人員リスト１８１は、５０音順や所属別の複数のリストを準備し、これをタブなどを切り替えることで表示させるようにしてもよい。
【００２８】
施設レイアウト図１４２は、この行き先表示システム１を採用する事業所の施設内のレイアウトを模式的に表現して作成する。そして、この施設レイアウト図１４２は、事業所外を含む各部屋やエリアに対応した複数の居場所領域１０２が設定される。例えば、この実施例では、複数の机が配置される居室領域１０３と、会議室１領域１０４と、会議室２領域１０５と、外出領域１０６が設定されている。また、居室のように大きな部屋であれば、当該部屋を複数の領域に設定することもできる。例えば、この実施例では、居室領域１０３を、各グループに対応して、破線で示す複数の領域を設定することができる。この実施例では、サーバ制御部１１が、各人名アイコン１４１の位置を監視しており、この人名アイコン１４１が居場所領域１０２の何処に移動されたかにより、行き先を判定する。
【００２９】
この図２では、人員２０人の事業の事例を示している。居室領域１０３は、各５人の人員からなる１グループから４グループの机が配置されている。各机には、図示しない端末装置３０が配置されている。そして、各机には、対応する人名アイコン１４１のホームポジションとして設定される。この人名アイコン１４１には、少なくとも、各人名アイコン１４１を識別するための識別記号が表記される。この実施例では、この識別記号として名字を表記している。更に、各グループの識別を図るために、各グループ毎に色を変えている。例えば、１グループは「白色」、２グループは「黄色」、３グループ「緑色」などで表示される。
【００３０】
また、この実施の形態では、自分の席を離席していても、当該自席が誰かを表すための人名アイコン１４１を表示している。しかし、移動先との混乱が生じるため、離席時の人名アイコン１４１を「斜線」で表現している。
【００３１】
今、図２の状態は、２０名の人員の内、外出が２名、会議室１に３名、会議室２に５名、他は自席にいる状態を示している。このような表示状態であれば、マップ表示領域１４０を見れば、通常いる自席の離席状況や、会議室の使われ方も分かる。また、人員リスト１８１を見れば、探した人の行き先が分かることに加え、当該人員リスト１８１の人名表示欄１８２をタッチすれば、対応するマップ表示領域１４０の人名アイコン１４１が強調表示されるので、施設レイアウト図１４２上での居場所を視覚的に確認することができる。
【００３２】
次に、図３を参照して、行き先管理ＤＢ１３のデータ構成を説明する。図３は行き先管理ＤＢのデータ構成図である。
【００３３】
図３において、この実施例では、この行き先表示システム１で管理される人員がＩＤ番号で管理される。このＩＤ番号に対応して、名前と所属と人名アイコンとアイコン属性と自席座標と人員リスト座標とが事前に設定され、行き先座標が入力の都度、サーバ制御部１１により判定される。
【００３４】
例えば、ＩＤ番号００１の「Ａ１さん」は所属が１グループであり、人名アイコン１４１はＡ１である。そして、Ａ１さんは１グループのため、人名アイコン１４１は「白色」が属性情報として設定される。さらに、このＡ１さんの人名アイコン１４１は、ホームポジションとして自席が設定される。また、Ａ１さんは、人員リスト１８１上では１番目が設定される。そして、このＡ１さんの人名アイコン１４１は、通常は、自席に表示され、その移動に伴って、その移動先の居場所領域１０２の対応領域がサーバ制御部１１によって判定され、その都度、更新される。
【００３５】
次に図４と図６の動作フローチャートを基に、図５及び図７、図８を参照して、行き先表示システム１の具体的な動作を説明する。ここで、図４はマップ表示領域での動作フロー図である。図５はマップ表示領域での画面遷移図である。図６は人員リスト表示領域での動作フロー図である。図７、図８は人員リスト表示領域での画面遷移図である。
【００３６】
先ず、この行き先表示システム１では、行き先表示板５０及び端末装置３０が端末装置としてＯＳをそれぞれ起動させ、ネットワーク２０を介して、サーバ１０に接続することで、行き先表示マップ１００をそれぞれの表示装置に表示させることができる。即ち、サーバ制御部１１は、行き先表示板５０または端末装置３０からのアクセス要求があると、図示しない行き先管理プログラムを立ち上げるとともに、記憶装置１２の行き先管理ＤＢ１３から必要なデータを読み込んで、行き先表示マップ１００を生成し、アクセス要求のあった端末に出力する。
【００３７】
この実施例では、事業所の受付に設置される大型の表示装置５２（行き先表示板５０）に、常時行き先表示マップ１００を表示する。ここでは、行き先表示板５０の動作フローを具体的に説明する。
【００３８】
先ず、サーバ制御部１１は、マップ表示領域１４０の人名アイコン１４１、あるいは、人員リスト表示領域１８０の人名表示欄１８２がタッチ操作、または、マウスによるクリック操作がなされたかを監視している。なお、この実施の形態では、タッチパネルによるタッチ操作と、マウスによるクリック操作を同じ操作として受け付ける、ここではタッチ操作で以下説明する。
【００３９】
先ず、図４と図５を参照して、マップ表示領域１４０の人名アイコン１４１による動作を説明する。図４において、サーバ制御部１１は、人名アイコン１４１がタッチされたかを監視している（ステップ３０１）。タッチ操作がなされると、サーバ制御部１１は、タッチ操作された人名アイコン１４１に対応する人名表示欄１８２を強調表示するとともに（ステップ３０３）、当該人名アイコン１４１のホームポジションのアイコンを離席表示する（ステップ３０５）。そして、当該人名アイコン１４１がドラッグされたかを判定する。例えば、図５の(ａ)図は、Ａ１の人名アイコン１４１を会議室１にドラッグしようとしている状態を示している。
【００４０】
図４に戻り、サーバ制御部１１は、人名アイコン１４１がタッチ操作されて、タッチした状態でドラッグして指が離された位置をドラッグされた位置と判定する。サーバ制御部１１は、ドラッグされると、当該ドラッグされた移動先が予め施設レイアウト図１４２内に設定される居場所領域１０２であるかを判定する（ステップ３０９）。例えば、移動先が施設レイアウト図１４２の外であれば、サーバ制御部１１は、タッチ前の状態に戻して（ステップ３１６）、ステップ３０１に移行する。
【００４１】
一方、ステップ３０９において、移動先が施設レイアウト図１４２内であれば、移動先の領域に人名アイコン１４１を固定表示して（ステップ３１１）、移動先の居場所領域１０２を判定し、行き先情報を取得し（ステップ３１３）、当該人名アイコン１４１に対応する人名表示欄１８２の行き先を前記取得した情報に修正して（ステップ３１５）処理を終了する。
【００４２】
例えば、図５の（ａ）図において、Ａ１の人名アイコン１４１が会議室１にドラッグされると、サーバ制御部１１は、そのドラッグされた会議室１領域１０４から「会議室１」の行き先情報を取得して、人員リスト１８１の人名表示欄１８２の行き先を「自席」から（ｂ）図に示すように「会議室１」に修正して処理を終了する。
【００４３】
次に、図６から図８を参照して、人員リスト表示領域１８０での動作処理を説明する。図６において、サーバ制御部１１は、人員リスト１８１の人名表示欄１８２がタッチされたか否かを監視している（ステップ３３１）。タッチ操作がなされると、当該人名表示欄１８２に対応する人名アイコン１４１を強調表示するおともに（ステップ３３３）、選択された人名表示欄１８２の近傍に選択ウインドウ１２０を開き（ステップ３３５）、この開かれた選択ウインドウ１２０の項目が選択されたか否かを監視する（ステップ３３７）。
【００４４】
例えば、図７の（ａ）図は、人員リスト１８１の「Ｂ３さん」の人名表示欄１８２がタッチ操作された状態を示している。タッチ操作されると、対応する人名アイコン１４１が強調表示される。この実施例では、「Ｂ３さん」は自席にいるので、強調表示として、自席の人名アイコン１４１を中心に波紋（強調）の表示がなされる。
【００４５】
図６に戻り、この実施例では、選択ウインドウ１２０に「社内」と「フレックス」と「フリー」の選択肢となる項目が準備されている。
【００４６】
「社内」が選択されると（ステップ３４１）、図７に示すような施設レイアウト図１４２に対応した居場所領域１０２の選択肢が表示される第２選択ウインドウ１３０を選択ウインドウ１２０の近傍に表示する（ステップ３４３）。図７（ｂ）図は、(ａ)図において、「社内」が選択された状態を示している。この「社内」は、利用頻度の高い行き先情報を選択肢として第２選択ウインドウ１３０に表示する。このため、キーボードなどの入力装置を使うことなくタッチ操作（マウスのクリック操作）のみで入力することができる。
【００４７】
図６に戻り、第２選択ウインドウ１３０の選択肢の１つが選択されると、サーバ制御部１１は、人員リスト１８１の人名表示欄１８２（行き先）の内容を選択した行き先に変更し（ステップ３４７）、対応する人名アイコン１４１を選択された項目対応した行き先領域に移動させるとともに、自席を離席表示として（ステップ３４９）、処理を終了する。
【００４８】
例えば、図７（ｂ）において、第２選択ウインドウ１３０の「外出」が選択されると、図８に示すように、「Ｂ３さん」の人名表示欄１８２の行き先は「自席」から「外出」に変更され、当該「Ｂ３さん」の人名アイコン１４１は外出領域１０６に表示されるとともに、自席の人名アイコン１４１は離席表示となる。
【００４９】
図６に戻り、一方、ステップ３５１において、フレックスが選択されると、図示しない第２選択ウインドウ１３０が表示される。このフレックスの第２選択ウインドウ１３０は、例えば、帰宅、１時間早く帰宅、２時間早く帰宅などの選択肢が設けられている。第２選択ウインドウ１３０の１つの選択肢が選択されると、「Ｂ３さん」の人名表示欄１８２の行き先は「自席」から「フレックス」に変更され（ステップ３５７）、当該「Ｂ３さん」の人名アイコン１４１は外出領域１０６に表示されるとともに、自席の人名アイコン１４１は離席表示となる（ステップ３５９）。なお、この実施例では、「フレックス」で第２選択ウインドウ１３０を表示するようにしたが、この第２選択ウインドウ１３０を表示することなく行き先を「フレックス」とする処理をしてもよい。即ち、ステップ３５３、３５５を削除してもよい。
【００５０】
また、ステップ３５１において、「フリー」が選択されると、サーバ制御部１１は、図示しない第２選択ウインドウ１３０を表示し（ステップ３６３）、キーボードによる入力を受け付ける（ステップ３６５）。この第２選択ウインドウ１３０は、入力文字の確認欄であり、キーボードで文字を入力すると、この入力内容が、第２選択ウインドウ１３０に確認表示される。また、この第２選択ウインドウ１３０にはＯＫキーが設けてあり、サーバ制御部１１はＯＫキーが押下されると(ステップ３６７)、人員リスト１８１の人名表示欄１８２の行き先を入力内容に修正し（ステップ３６８）、対応する人名アイコン１４１を外出領域１０６に移動するとともに、自席を離席表示として（３６９）、処理を収納する。
【００５１】
さて、前記説明では、行き先表示板５０の動作処理として説明したが、前記したように、端末装置３０でも、マウス操作により、前記説明と同じ操作を行うことができる。
【００５２】
また、前記説明では、行き先表示板５０でも、行き先を入力することで説明したが、このシステムでは、部外者でも自由に行き先を変更することができる。これを防止するために、前記した入力と出力とをともにできる入力出力モードと、出力のみ可能な出力モードを選択可能にしてもよい。例えば、このモードの切り替えは、行き先表示マップ１００に図示しない切り替えボタンを設けたり、キーボードなどで操作するようにする。
【００５３】
また、前記出力モードの場合は、人名表示欄１８２または人名アイコン１４１の一方がタッチ操作されると、対応する他方の人名表示欄１８２または人名アイコン１４１が強調表示されるのみとする。
【実施例２】
【００５４】
次に、図９を参照して、実施例１の応用例である実施例２を説明する。図９は応用例を示す行き先表示マップの画面図である。
【００５５】
図９において、前記実施例１では、説明を分かりやすくするために人員が２０名の事例で説明したが、この発明に係る行き先表示システム１は１００人から２００人前後の人員からなる事業所に適用すると最も効果が得られるものである。
【００５６】
例えば、図９の事例は１５０人から２００程度の人員構成からなる事業所に適用した事例である。この事例の行き先表示マップ１００Ａもまた、人員リスト表示領域１８０とマップ表示領域１４０とを左右に分けたレイアウトを採用している。
【００５７】
行き先表示を行う場合、１つの表示画面に多くの人員の行き先状況が表示できれば、全体を把握でき、かつ個々の人員の行き先をも把握できるので有効である。この場合、表示画面のスペースを有効に活用することが、多くの情報を１画面に収めることにつながる。特に、施設レイアウト図１４２Ａにおいては、一目で居室や会議室の配置を把握できることが望ましいが、あまり詳しくしすぎると、スペースの無駄が生じする。そこで、この実施例では、施設の共有スペースであるエレベータスペースを外出領域１０６として設定する。ビルなどでは、敷地の中央にエレベータホールがあるので、この中央の位置であれば、各居室から容易に外出領域１０６へドラッグすることができる。
【００５８】
そして、この実施例では、この外出領域１０６の周囲に、複数の領域に分割された居場所領域１０２を設けている。例えば、この事例では、施設レイアウト図１４２の右側に会議室や応接室などを集中的に配置し、右上と左下にオープン化された居室領域を設定し、左上には共通スペースを配置していることが、これをイメージ的に把握でき、かつ、全体を表示画面の大きさをフルに活用できる矩形状にまとめている。
【００５９】
オープン化された居室には、正方形状を碁盤の目のように配置することで、机の配置を模式化している。この正方形には円形の人名アイコン１４１がホームポジションとして割り当てられている。この実施例では１８０前後の机が準備されている。更に、この机は、予備や共通パソコンがあれば、人名アイコンに変えて表記されている。  また、この実施例では、各机の並びには部課名が付記され、この部課名に属する人名アイコン１４１は、部課毎に異なる色彩が施されている。更に、人名アイコン１４１は、自席の領域であれば、ホームポジションである自席に吸着するようにするとよい。
【００６０】
一方、人員リスト表示領域１８０の人員リスト１８１は、全構人員の人名表示欄１８２が表示される。この人員リスト１８１は、５０音順のリストと部課別のリストが用意され、上部のタグの選択で切り替えることができる。また、人名表示欄１８２は、数多くの名前を分かりやすく、かつ簡単に表示するために「名前／行き先」の一行表示で行っている。この簡単な１行表示であれば、この人名表示欄１８２を上下に並んだ１列表示を、複数列（例えば３列）で表示しても、行き先表示マップ１００Ａの中で大きなスペースをとることを軽減できる。
【００６１】
ところで、表示装置５２が大型化されたといっても、当該表示装置５２の表示画面５４に多くの文字（名前）を視認可能に表記するのは限界がある。特に、この実施例では、同じ行き先表示マップ１００Ａを端末装置３０でも使うため、２０インチの表示画面でも視認可能な文字の大きさでなければならない。
【００６２】
一般に、パーソナルコンピュータで使用されている文字サイズは９ポイントで１１ピクセルである。この９ポイントの文字サイズであれば、端末装置や５０インチ程度の大型表示装置でも視認可能である。
【００６３】
そこで、この実施例では、表示画面５４の解像度（画素数）を「横１９２０ピクセル」「縦１０８０ピクセル」に設定し、この解像度で９ポイントの文字を表示するように設定した。この設定であれば最大約１００行の文字列を表示することができる。当然、表示画面５４の上下にはタイトルや空白部が設定されるから、８０行の文字列としても、これを３列表示すれば２４０人の人員をリスト表示することができる。
【００６４】
さて、この応用例によれば、前記実施例１と同様な作用効果を得ることができる。特に、前記実施例１では、施設レイアウト図１４２において、名前の付された人名アイコン１４１を探すのが、何とかできるものの、実施例２のように、多くの人員からなる施設レイアウト図１４２Ａでは、特定の人名アイコン１４１を探すのは、内情を知っている人でないと困難である。
【００６５】
そこで、この実施例では、人名アイコン１４１と人名表示欄１８２とを互いの選択で強調表示を行うことで、人名アイコン１４１の施設レイアウト図１４２Ａ上での位置（行き先）を把握しやすくすることができる。また、行き先の入力は、人名アイコン１４１をドラッグすることで、入力することができ、また、その入力内容は人員リスト１８１でも反映される。また、逆に、人員リスト１８１からの入力も、特定の人名表示欄１８２を選択してマップ表示領域１４０と人名アイコン１４１を表示させて選択、決定すれば、入力を完了することができるとともに、この入力動作に伴って、対応する人名アイコン１４１を移動させることができる。
【００６６】
なお、他の応用例として、人名アイコン１４１に対するダブルタッチやマウスのダブルクリック操作で、図示しないウインドウを表示して、当該人名アイコン１４１に対応するスケジュールを表示することができる。
【００６７】
このように、これらの実施例に係る行き先管理装置は、サーバ制御装置と、行き先管理データベースを格納した記憶装置を備えて複数の端末装置とネットワークを介して接続される行き先管理装置であって、サーバー制御部は、行き先管理データベースの行き先情報に基づいて、複数の位置情報と、この位置情報に対応する居室名称が割り当てられる領域と、当該領域に移動可能に配置される複数の人名アイコンとが含まれる施設レイアウト図を備えたマップ表示領域と、前記人名アイコンに対応する名前と、前記人名アイコンが位置する居室名称とが対となる複数の人名表示欄が配置される人員リストを備えた人員リスト表示領域とが１つの画面領域に配置される行き先表示マップを生成し、前記端末装置からのアクセス要求に基づいて、前記行き先表示マップを提供し、前記端末装置からの前記人名表示欄の１つの選択を受け付けて、当該選択された人名表示欄に対応する前記人名アイコンを強調表示するものである。
【００６８】
この場合、居室名称が割り当てられる前記領域への前記人名アイコンの移動を受け付けて、前記人名表示欄の居室名称を、前記人名アイコンの移動先の領域に割り当てられた居室名称に変更する。また、前記人名表示欄の選択を受け付けて、当該人名表示欄の近傍に、前記複数の領域の選択肢を備えたウインドウを表示し、前記選択肢の選択を受け付けて、前記人名表示欄の居室名称を当該選択肢に対応する領域に割り当てられる居室名称に変更するとともに、前記選択肢に対応する領域に対応する人名アイコンを表示させる。更に、前記人名アイコンは、施設レイアウト図の特定の領域にホームポジションが設定され、人名アイコンが移動されると、当該移動先に人名アイコンを表示するとともに、ホームポジションの人名アイコンを離席表示する。
【図面の簡単な説明】
【００６９】
【図１】本発明の実施例１に係る行き先表示システムのシステム構成図である。
【図２】本発明の実施例１に係る行き先表示マップの画面図である。
【図３】本発明の実施例１に係る行き先管理ＤＢのデータ構成図である。
【図４】本発明の実施例１に係るマップ表示領域での動作フロー図である。
【図５】本発明の実施例１に係るマップ表示領域での画面遷移図である。
【図６】本発明の実施例１に係る人員リスト表示領域での動作フロー図である。
【図７】本発明の実施例１に係る人員リスト表示領域での画面遷移図である。
【図８】本発明の実施例１に係る人員リスト表示領域での画面遷移図である。
【図９】応用例を示す行き先表示マップの画面図である。
【符号の説明】
【００７０】
１…行き先表示システム、１０…サーバ、１１…サーバ制御部、１２…記憶装置、１３…行き先管理ＤＢ、１４…スケジュール管理ＤＢ、２０…ネットワーク、３０…端末装置、５０…行き先表示板、５１…表示板制御部、５２…表示装置、５３…表示板入力部、５４…表示画面、１００…行き先表示マップ、１０１…作業ウインドウ、１０２…居場所領域、１０３…居室領域、１０４…会議室１領域、１０５…会議室２領域、１０６…外出領域、１２０…選択ウインドウ、１３０…第２選択ウインドウ、１４０…マップ表示領域、１４１…人名アイコン、１４２…施設レイアウト図、１８０…人員リスト表示領域、１８１…人員リスト、１８２…人名表示欄
【図１】
2010072667.tif 000003
【図２】
2010072667.tif 000004
【図３】
2010072667.tif 000005
【図４】
2010072667.tif 000006
【図５】
2010072667.tif 000007
【図６】
2010072667.tif 000008
【図７】
2010072667.tif 000009
【図８】
2010072667.tif 000010
【図９】
2010072667.tif 000011